(57)【要約】 【課題】 衛生的でかつ携帯し易い折り畳み式多機能ペットトレイを得る。 【解決手段】 この折り畳み式多機能ペットトレイ１は、ペットトイレタリシート１０１を配置される略長方形の底面部３と、折り畳み部分が展開されると直立して底面部の３辺の方向を囲む壁面部２とを備える。壁面部２は、２つの側面部２ｂ，２ｃと、２つの側面部２ｂ，２ｃの間の背面部２ａとを有する。背面部２ａは、背面部２ａと側面部２ｂ，２ｃとの境界に平行な線を中心にして折り曲げ可能である。底面部３は、背面部２ａの折り曲げ中心である折り目２ｆの延長方向にある切れ込み３ａにより２つの部分底面部３ｂ，３ｃに分けられている。 【選択図】 図１
2008228682.tif 000002
【特許請求の範囲】
【請求項１】
ペットトイレタリシートを配置される略四角形の底面部と、 
折り畳み部分が展開されると直立して前記底面部の３辺の方向を囲む壁面部とを備え、
前記壁面部は、２つの側面部と、前記２つの側面部の間の背面部とを有し、 
前記背面部は、前記背面部と前記側面部との境界に平行な線を中心にして折り曲げ可能であり、 
前記底面部は、前記背面部の折り曲げ中心の延長方向にある切れ込みにより２つの部分底面部に分けられていることを特徴とする折り畳み式多機能ペットトレイ。 
【請求項２】
前記底面部は、２つの略四角形の前記部分底面部からなり、 
前記背面部は、直線状の前記切れ込みの延長線を中心にして折り曲げ可能であること、 
を特徴とする請求項１記載の折り畳み式多機能ペットトレイ。 
【請求項３】
前記壁面部は、２つの側面部と、前記２つの側面部の間の背面部とを有し、 
前記側面部および前記背面部の少なくとも１面は、先端部分をトレイ内側方向へ折り曲げ可能であること、 
を特徴とする請求項１または請求項２記載の折り畳み式多機能ペットトレイ。 
【請求項４】
前記側面部および前記背面部の少なくとも１面を、所定の折り曲げ角度で、または所定の複数の折り曲げ角度のいずれかで固定する固定機構を有することを特徴とする請求項３記載の折り畳み式多機能ペットトレイ。 
【請求項５】
前記底面部および前記壁面部は、１枚の部材から生成されたものであることを特徴とする請求項１から請求項４のうちのいずれか１項記載の折り畳み式多機能ペットトレイ。 
【発明の詳細な説明】
【技術分野】
【０００１】
本発明は、折り畳み式多機能ペットトレイに関するものである。 
【背景技術】
【０００２】
屋内にてペットを飼育する場合にペットの排泄した糞尿を簡便に片付けるために様々な製品が開発されている。その１つとして、ペットの尿を吸収するペットトイレタリシートが販売されている。図１５に示すように、このようなペットトイレタリシート２０１は、床に配置され、その上でペット２０２が糞尿２０３，２０４を排泄する。そして、飼い主は、排泄後に、そのシート２０１ごと糞尿２０３，２０４を廃棄する。 
【０００３】
その他、ペットのトイレ用品としては、ペットトイレタリシートを固定する折り畳み式多機能ペットトレイ（例えば特許文献１参照）、箱形の折り畳み式ペットトイレ（例えば特許文献２参照）などが提案されている。 
【０００４】
【特許文献１】実用新案登録３０７８８０７号公報
【特許文献２】実開昭６３−１４３１５５号公報
【発明の開示】
【発明が解決しようとする課題】
【０００５】
近年、飼い主である人間とペットがより密接に付き合うようになっている。このため、飼い主が、狭い住居でペットを飼育したり、ペットを連れて旅行したりする場合がある。これらの場合、旅行先のホテル、狭い住居などにおいて、ペットの糞尿の飛散が問題となる。さらに、これらの場合では、定常的にペットトイレを配置しておくことが難しい。 
【０００６】
しかしながら、従来のペットトイレ等では、ペットの糞尿の飛散を効果的に防止しつつ、簡単に持ち運ぶことが困難である。 
【０００７】
ペットトイレタリシートのみではシートの外側に尿が飛び出ることがあるが、上述の特許文献１によれば、トレイを折り曲げてトレイの一部を壁面とすることで、尿の飛散が防止される。しかしながら、一面のみしか壁面がないため、壁面から跳ね返った尿がシートの外側へ飛び出やすく、効果的に尿の飛散を防止しているとは言い難い。また、この場合、壁面が一面のみであるため、壁面が倒れ易い。したがって、壁面が倒れないようにするために、トレイの折り曲げ部分を強固なものにする必要がある。 
【０００８】
また、上述の特許文献２によれば、周囲に壁面があるものの、折り畳んだ状態でもペットトイレのサイズが大きなものとなる。このため、ペットを連れて旅行したりする場合や狭い部屋の場合など、このようなペットトイレを持ち運んで使用することが困難である。 
【０００９】
このように、従来のペットトイレ等では、ペットの糞尿の飛散の効果的な防止と、携帯性を両立させることが困難である。 
【００１０】
本発明は、上記の問題に鑑みてなされたものであり、衛生的で使いやすく、かつ携帯し易い折り畳み式多機能ペットトレイを得ることを目的とする。 
【課題を解決するための手段】
【００１１】
上記の課題を解決するために、本発明では以下のようにした。 
【００１２】
本発明に係る折り畳み式多機能ペットトレイは、ペットトイレタリシートを配置される略四角形の底面部と、折り畳み部分が展開されると直立して底面部の３辺の方向を囲む壁面部とを備える。そして、壁面部は、２つの側面部と、２つの側面部の間の背面部とを有する。背面部は、背面部と側面部との境界に平行な線を中心にして折り曲げ可能である。底面部は、背面部の折り曲げ中心の延長方向にある切れ込みにより２つの部分底面部に分けられている。 
【００１３】
また、本発明に係る折り畳み式多機能ペットトレイは、上記の折り畳み式多機能ペットトレイに加え、次のようにしてもよい。つまり、その場合、底面部は、２つの略四角形の部分底面部からなる。また、背面部は、直線状の切れ込みの延長線を中心にして折り曲げ可能である。 
【００１４】
また、本発明に係る折り畳み式多機能ペットトレイは、上記の折り畳み式多機能ペットトレイのいずれかに加え、次のようにしてもよい。つまり、その場合、壁面部は、２つの側面部と、２つの側面部の間の背面部とを有する。そして、側面部および背面部の少なくとも１面は、先端部分をトレイ内側方向へ折り曲げ可能である。 
【００１５】
また、本発明に係る折り畳み式多機能ペットトレイは、上記の折り畳み式多機能ペットトレイに加え、次のようにしてもよい。つまり、その場合、この折り畳み式多機能ペットトレイは、側面部および背面部の少なくとも１面を、所定の折り曲げ角度で、または所定の複数の折り曲げ角度のいずれかで固定する固定機構を有する。 
【００１６】
また、本発明に係る折り畳み式多機能ペットトレイは、上記の折り畳み式多機能ペットトレイのいずれかに加え、次のようにしてもよい。つまり、その場合、底面部および壁面部は、１枚の部材から生成される。 
【発明の効果】
【００１７】
本発明によれば、衛生的で使いやすく、かつ携帯し易い折り畳み式多機能ペットトレイを得ることができる。
【発明を実施するための最良の形態】
【００１８】
以下、図に基づいて本発明の実施の形態を説明する。 
【００１９】
実施の形態１． 
図１は、本発明の実施の形態１に係る折り畳み式多機能ペットトレイの構成を示す斜視図である。図１に示す折り畳み式多機能ペットトレイ１は、壁面部２と底面部３とトレイ側面部４を有する。壁面部２、底面部３およびトレイ側面部４は、それぞれ、紙、樹脂コーティングされた紙、合成樹脂、プラスティックなどの比較的軽い材質の板状の部材で構成されている。これらの部材としては、その他の防水加工を施した軽量部材を使用してもよい。 
【００２０】
壁面部２は、背面部２ａと２つの側面部２ｂ，２ｃを有する。背面部２ａは、略長方形であって、先端部分がトレイ１の内側方向へ折り曲げられている。２つの側面部２ｂ，２ｃは、背面部２ａの対向する２辺からそれぞれ延びている。 
【００２１】
また、底面部３は、略長方形とされ、ペットトイレタリシートを配置される。底面部３は、切れ込み３ａにより２つの部分底面部３ｂ，３ｃに分けられている。部分底面部３ｂと部分底面部３ｃは、切れ込み３ａを中心にして互いに線対称の形状とされる。 
【００２２】
底面部３の外周には、直立するトレイ側面部４が形成されている。トレイ側面部４の高さは、ペットトイレタリシートを配置した際の適当な高さに構成する。トレイ側面部４は、壁面部２の背面部２ａおよび側面部２ｂ，２ｃに連続している。つまり、トレイ側面部４の４面のうち、１面は背面部２ａへ延びており、他の２面は側面部２ｂ，２ｃへそれぞれ延びている。これにより、背面部２ａと２つの側面部２ｂ，２ｃにより、底面部３の、１長辺と２短辺の計３辺の方向が囲まれる。 
【００２３】
そして、トレイ側面部４と壁面部２との境界には、折り曲げ自在となるように折り目４ａが形成されている。折り目４ａは、底面部３に対して平行に形成されている。また、側面部２ｂ，２ｃには、折り畳み部分２ｄ，２ｅがある。各折り畳み部分２ｄ，２ｅは、複数の折り目２ｄ１，２ｄ２，２ｅ１，２ｅ２を有する。この実施の形態では、背面部２ａと側面部２ｂ，２ｃとの境界に折り目２ｄ２，２ｅ２が形成されており、さらに、側面部２ｂ，２ｃに、背面部２ａと側面部２ｂ，２ｃとトレイ側面部４とが接する点から所定の角度（ペットが壁面に向けておしっこをした際、そのおしっこがペットトイレタリシートのミシン目より内側、つまり吸収領域に吸収させるための角度）で折り目２ｄ１，２ｅ１が形成されている。これにより、折り畳み部分２ｄ，２ｅが展開され側面部２ｂ，２ｃがそれぞれ１平面となると、背面部２ａおよび各側面部２ｂ，２ｃが底面部３に対して直立する。また、折り畳み部分２ｄ，２ｅが折り畳まれると、折り目４ａを中心にして背面部２ａおよび各側面部２ｂ，２ｃが倒れ込み、トレイ１の高さがトレイ側面部４の高さと略等しくなる。 
【００２４】
また、トレイ側面部４のうち、背面部２ａに隣接するトレイ側面部４の１面およびその面に対向する面には、切れ込み３ａから延びる切れ込み４ｂが形成される。図１の状態では、２つの部分底面部３ｂ，３ｃが離れないように、正面側の切れ込み４ｂの両側が粘着テープ等の５で互いに固定されている。 
【００２５】
そして、背面部２ａの中央には、切れ込み３ａ，４ｂの延長線上に折り目２ｆが形成されている。この折り目２ｆは、背面部２ａと側面部２ｂ，２ｃとの境界（折り目２ｄ２，２ｅ２）に平行な線上に形成されている。これにより、この折り目２ｆを中心にして折り畳んだ場合、このペットトレイ１のサイズは底面部３の約半分となる。 
【００２６】
さらに、背面部２ａには、トレイ側面部４との境界の折り目４ａおよび底面部３に対して平行に折り目２ｈが形成されている。そして、その折り目２ｈを中心にして、背面部２ａの先端部分が、トレイ１内側へ向かって折り曲げられている。これにより、背面部２ａの先端が底面部３の上方に位置する。折り目２ｈから先端までの長さは、底面部３から折り目２ｈまでの長さと略等しいかやや短くされる。また、この実施の形態１では、その折り目２ｈに連続して所定形状の切れ込み２ｇが形成されている。したがって、背面部２ａが折り曲げられることでその所定形状が折り目２ｈより上方へ突出する。このため、メーカ、製品などのロゴや社名をこの部分に印刷しておくことで、ユーザにメーカ、製品などを効果的に周知させることができる。 
【００２７】
ここで、ペットトイレタリシートの配置および廃棄について説明する。図２は、実施の形態１における、ペットトイレタリシート１０１の配置について説明する図である。図３は、実施の形態１における、ペットトイレタリシート１０１の廃棄について説明する図である。 
【００２８】
図２（Ａ）に示すように、ペットトイレタリシート１０１は、吸水剤を内包したシートである。中央の吸水領域１０１ａに吸水剤が配置されており、その周囲には２，３センチメートルの外縁部１０１ｂが設けられている。そして、ペットトイレタリシート１０１の底面側には防水層が設けられており、吸い取った尿がシート１０１から染み出ないようになっている。 
【００２９】
このようなペットトイレタリシート１０１は、図２（Ａ）および図２（Ｂ）に示すように、展開された状態のペットトレイ１の底面部３に載置され、粘着テープ１１などで着脱可能に固定される。 
【００３０】
そして、図２（Ｃ）に示すように、犬などのペット１５１がペットトレイ１上で糞尿１５２，１５３を排泄する。その際、背面部２ａの先端はシート１０１の吸水領域１０１ａの上方に位置しているため、ペット１５１が背面部２ａに向かって排尿した場合でも、尿が吸水領域１０１ａへ落下しトレイ１からの尿の漏れ出しが少なくて済む。特に、ペット１５１がオス犬である場合、壁面に向かって放尿する習性があるため有効である。 
【００３１】
ペット１５１の排泄後、図３（Ａ）に示すようにペット１５１がトレイ１から出たときに、シート１０１は、図３（Ｂ）に示すように底面部３から外され、図３（Ｃ）および図３（Ｄ）に示すように糞尿１５２，１５３とともに折り畳んで廃棄される。 
【００３２】
次に、ペットトレイ１を、折り畳んだ状態から図１に示す状態へ変化させる場合について説明する。図４および図５は、実施の形態１において、折り畳んだ状態から折り畳み式多機能ペットトレイ１を展開した状態へと変化させる過程について説明する図である。 
【００３３】
まず、図４（Ａ）に示すように、折り畳んだ状態では、切れ込み３ａ，４ｂおよび折り目２ｆに沿ってトレイ１が２つ折りにされており、壁面部２は、折り畳まれて内部に格納されている。このため、折り畳んだ状態でのトレイ１の外形は、略直方体の板状となっている。その厚さはトレイ側面部４の略２倍、その最大面の面積は部分底面部３ｂ，３ｃ（つまり底面部３の面積の半分）に略等しい。 
【００３４】
図４（Ａ）の状態で、図４（Ｂ）のように、部分底面部３ｂ、側面部２ｂなどのトレイ１の一方の半分と、部分底面部３ｃ、側面部２ｃなどのトレイ１の他方の半分とが、背面部２ａの折り目２ｆを中心にして開かれ、さらに、図４（Ｃ）に示すように、部分底面部３ｂ，３ｃを下にして開かれる。そして、２つの部分底面部３ｂ，３ｃが１平面状になると、背面部２ａも１平面に展開する。 
【００３５】
次に、図５（Ａ）に示すように、前面側の切れ込み４ａに粘着テープ５が貼られる。また、背面部２ａが起こされると、それとともに、折り畳み部分２ｄ，２ｅが展開され、背面部２ａが直立した状態となると、側面部２ｂ，２ｃもそれぞれ１平面状となって直立する。 
【００３６】
そして、図５（Ｂ）に示すように折り目２ｈを中心にして背面部２ａの先端側がトレイ１内側へ折り込まれて、図１に示す状態となる。 
【００３７】
このようにして、トレイ１が、折り畳んだ状態から使用可能な状態へと展開される。なお、トレイ１を使用可能な状態から折り畳む場合には、上述した手順を逆に行えばよい。したがって、トレイ１は、折り畳みと展開を繰り返して、複数回、使用することが可能である。折り畳んだ状態では、収納、携帯、運送などが容易となる。また、トレイ１の販売等をする場合にも、陳列スペースが狭く済んだり他の商品に添付することができ、便利である。 
【００３８】
図６は、実施の形態１に係る折り畳み式多機能ペットトレイ１を折り畳んだ状態でペットトイレタリシート１０１のパッケージ１０２に添付させた場合を示す斜視図である。図６に示すように、ペットトレイ１を折り畳んだ状態でペットトイレタリシート１０１のパッケージ１０２に添付させてもよい。その場合、ペットトレイ１は、そのまま、またはパッケージングした状態で、ペットトイレタリシート１０１のパッケージ１０２にテープ 、接着剤などで固定される。あるいは、ペットトレイ１をペットトイレタリシート１０１のパッケージ１０２内に同梱してもよい。 
【００３９】
折り畳んだ状態では、ペットトレイ１は、最大面が底面部３の略半分のサイズの、板状の直方体となるので、２つ折りにしたペットトイレタリシート１０１を含むパッケージ１０２に添付した場合でも、図６に示すように、可搬性を損なわずにまとめて輸送や販売が可能である。 
【００４０】
以上のように、上記実施の形態１に係る折り畳み式多機能ペットトレイ１は、ペットトイレタリシート１０１を配置される略長方形の底面部３と、折り畳み部分２ｄ，２ｅが展開されると直立して底面部の３辺の方向を囲む壁面部２とを備える。壁面部２は、２つの側面部２ｂ，２ｃと、２つの側面部２ｂ，２ｃの間の背面部２ａとを有する。背面部２ａは、背面部２ａと側面部２ｂ，２ｃとの境界に平行な線を中心にして折り曲げ可能である。底面部３は、背面部２ａの折り曲げ中心である折り目２ｆの延長方向にある切れ込み３ａにより２つの部分底面部３ｂ，３ｃに分けられている。 
【００４１】
したがって、壁面部２によりペットの糞尿の飛散を効果的に抑制してペットトレイ１周辺を衛生的に維持し、かつ、折り畳むことでペットトイレタリシート１０１より小さなサイズとなって携帯し易くすることができる。 
【００４２】
さらに、構造上、比較的安価で製造可能であるため短期間の使用後に廃棄してもよく、衛生的な状態を維持することができる。 
【００４３】
また、上記実施の形態１によれば、背面部２ａは、底面部３に略平行な折り目２ｈを中心にして、先端部分をトレイ１内側方向へ折り曲げ可能である。これにより、側面部２ｂ，２ｃのないトレイ入口から見て奥にある背面部２ａへ向かって排泄が行われても、排泄物をペットトイレタリシート１０１の中央寄りに落下させることができ、ペットトイレタリシート１０１をより有効に使用することができる。 
【００４４】
実施の形態２． 
本発明の実施の形態２に係る折り畳み式多機能ペットトレイは、背面部２ａの折り曲げ角度を調整可能としたものである。 
【００４５】
図７は、実施の形態２に係る折り畳み式多機能ペットトレイ３１を示す図である。図７（Ａ）は、ペットトレイ３１の斜視図であり、図７（Ｂ）は、ペットトレイ３１の正面図であり、図７（Ｃ）は、ペットトレイ３１の側面図である。図７に示すように、ペットトレイ３１の背面部２ａの先端の両側には、折り目２ｈと平行な方向へ延びる突起４１が設けられ、トレイ側面部４には、背面部２ａの折り曲げ角度に応じた複数組のスリット４２が設けられる。突起４１は、背面部２ａと一体となっており、凸形状とされたものである。各スリット４２は、突起４１が嵌る位置、形状およびサイズで形成される。なお、スリット４２は、側面部２ｂ，２ｃに形成されてもよい。 
【００４６】
なお、実施の形態２に係る折り畳み式多機能ペットトレイ３１のその他の構成は、実施の形態１に係る折り畳み式多機能ペットトレイ１と同様であるので、その説明を省略する。 
【００４７】
実施の形態２では、突起４１がスリット４２に嵌め込まれることで、背面部２ａの折り目２ｈより先端部分が一定の位置に固定される。 
【００４８】
また、背面部２ａの折り曲げ角度に応じた複数組のスリット４２があるため、ペット１５１、ペットトイレタリシート１０１の大きさなどに応じて、ユーザが背面部２ａの先端を所望の位置に調節することができる。 
【００４９】
以上のように、上記実施の形態２に係る折り畳み式多機能ペットトレイは、背面部２ａを所定の折り曲げ角度で固定する固定機構として突起４１およびスリット４２を有する。これにより、ペットトイレタリシート１０１やペットの大きさに応じて背面部２ａの折り曲げ角度を調節することで、ペットの排泄物がペットトイレタリシート１０１へ落下し易くすることができる。 
【００５０】
実施の形態３． 
本発明の実施の形態３に係る折り畳み式多機能ペットトレイは、１枚の部材から側面部２ｂ，２ｃ、底面部３およびトレイ側面部４が構成されるものである。 
【００５１】
図８は、実施の形態３に係る折り畳み式多機能ペットトレイの展開図である。図８に示す１枚の部材から図１の折り畳み式多機能ペットトレイ１が作られる。 
【００５２】
図８に示す部材では、背面部２ａと側面部２ｂ，２ｃが折り目２ｄ２，２ｅ２で連続しており、背面部２ａおよび側面部２ｂ，２ｃとトレイ側面部４が折り目４ａで連続している。さらに、背面部２ａの隣りのトレイ側面部４と部分底面部３ｂ，３ｃが折り目５１で連続している。また、部分底面部３ｂ，３ｃと正面側のトレイ側面部４が連続しており、そのトレイ側面部４に折り目５２，５３が形成されている。そして、側面部２ｂ，２ｃに隣接するトレイ側面部４には、前面側に固定しろ５４が折り目５５から突出しており、底面３側に固定しろ５６が折り目５７から突出している。 
【００５３】
そして、この部材を、折り目５２を中心にして略１８０度折り曲げ、折り目５１を中心にして略９０度折り曲げ、固定しろ５４をその折り曲げ部分に接着剤などで固定するとともに、折り目５７および折り目２ｄ２，２ｅ２を中心にして各部位を略９０度折り曲げて折り目５７が部分底面部３ｂ，３ｃの辺に沿うようにして固定しろ５６を部分底面部３ｂ，３ｃの下面に接着剤などで固定する。 
【００５４】
このようにすることで、実施の形態３における１枚の部材から、実施の形態１のような折り畳み式多機能ペットトレイ１が作られる。 
【００５５】
以上のように、上記実施の形態３によれば、底面部３および壁面部２は、１枚の部材から生成される。これにより、構造上、安価で製造可能であるため短期間の使用後に廃棄してもよく、衛生的な状態を維持することができる。 
【００５６】
実施の形態４． 
本発明の実施の形態４に係る折り畳み式多機能ペットトレイは、複数枚のペットトイレタリシート１０１を配置されるものである。ペットトレイ自体の構成は、上述のペットトレイ１，３１と同様である。 
【００５７】
図９は、実施の形態４に係る折り畳み式多機能ペットトレイを示す斜視図である。図９（Ａ）に示すように、実施の形態４では、複数枚のシート１０１がまとめて配置される。そして、図９（Ｂ）に示すように、シート１０１が汚れたら、最上面のシート１０１が外されて廃棄される。最上面のシートが廃棄されると、図９（Ｃ）に示すように、汚れていないシート１０１が現れる。このようにして、最上面のシート１０１を外すだけで、シート１０１の配置の手間が省くことができる。 
【００５８】
図１０は、実施の形態４において使用されるペットトイレタリシート１０１の一例を示す図である。このように複数枚のシート１０１がまとめて配置される場合、図１０（Ａ）に示すパッケージ１０２内で、さらに小分けのパッケージ１０３ごとにシート１０１が包装されるようにしてもよい。例えば図１０（Ｂ）に示すように、５枚のシート１０１がまとめてトレイ１，３１に配置される場合、小分けのパッケージ１０３内のシート１０１の枚数は５枚とする。この場合、シート１０１は、パッケージ１０２には、小分けのパッケージ１０３単位で２つ折りにされて収納される。このようにすることで、トレイ１，３１に配置する際にシート１０１の枚数を数えなくても正確な枚数をトレイ１，３１に配置させることができる。 
【００５９】
なお、図９および図１０では、１回に配置されるシート１０１は５枚とされているが特に限定されるものではなく、３枚でも１０枚でもよい。 
【００６０】
また、小分けのパッケージ１０３は、例えばビニール製などの袋で複数枚のシート１０１を包装した形態とされる。さらに、小分けのパッケージ１０３の上面（つまりシート１０１の吸水面側の面）の周囲にミシン目、切れ目などを予め入れておくようにしてもよい。これにより、手などでパッケージ１０３の上面のみを切り取り易くなる。したがって、簡単に、上面を取り除いたパッケージ１０３をそのままトレイ１，３１へ配置することができる。 
【００６１】
以上のように、上記実施の形態４によれば、複数枚のシート１０１がまとめてトレイ１，３１に配置されるため、シート１０１交換の手間が少なくて済む。 
【００６２】
実施の形態５． 
本発明の実施の形態５に係る折り畳み式多機能ペットトレイは、ペットトイレタリシート１０１のカートリッジを壁面部２に固定され、壁面部２に形成された挿通口からトレイ上へシート１０１を一枚ずつ連続して引き出して使用可能としたものである。なお、その他の構成については、他の実施の形態のいずれかと同様とされる。 
【００６３】
図１２は、実施の形態５に係る折り畳み式多機能ペットトレイに使用されるペットトイレタリシート１０１のパッケージ１２１の一例を示す図である。図１２（Ａ）は、カートリッジ１２１の斜視図であり、図１２（Ｂ）は、カートリッジ１２１を取り付ける前の斜視図であり、図１２（Ｃ）は、使用時（カートリッジを取り付けた後）のカートリッジ１２１の斜視図である。 
【００６４】
実施の形態５では、背面部２ａにペットトイレタリシート１０１の挿通口７１が形成され、背面部２ａおよびトレイ側面部４の裏面にはパッケージ１２１の粘着テープ１３２を貼り付ける位置決めのための案内マーク７２が表示される。挿通口７１は、シート１０１の幅よりやや大きめの幅とされる。なお、折り畳み式多機能ペットトレイ６１のその他の構成については、他の実施の形態のいずれかと同様であるので、その説明を省略する。 
【００６５】
また、カートリッジ１２１は、包装およびペットトイレタリシート１０１を有する。包装は、ビニール製、紙製などの袋または箱とされる。パッケージ１２１には、１枚ずつ連続的に取り出せるように複数枚のシート１０１が封入されている。そして、カートリッジ１２１には、シート１０１を取り出すための取出し口１３１が形成されている。また、カートリッジ１２１を固定するための粘着テープ１３２が設置されている。例えば、取出し口１３１は、樹脂、プラスティックなどのリング状の枠部材から構成される。また、製造時に取出し口１３１の外縁にミシン目が形成され、そのミシン目に沿ってユーザにより使用時に取出し口１３１が形成されるようにしてもよい。カートリッジ１２１内のシート１０１は、複数枚が連続しており、ミシン目などにより１枚１枚容易に分離可能な状態とされる。あるいは、１枚ずつのシート１０１が独立しており、各シート１０１の所定の連結形状または別の部材でシート１０１が連結されるようにしてもよい。なお、カートリッジ１２１の取出し口１３１の形状を、挿通口７１に嵌るように凸形状としてもよい。その場合には、カートリッジ１２１をトレイ６１に固定する際に、取出し口１３１が挿通口７１に嵌め込まれ、取出し口１３１の先端が挿通口７１内に配置される。これにより、カートリッジ１２１からトレイ６１へシート１０１を取り出し易くなる。また、案内マーク７２および粘着テープ１３２の設置位置は、図１１および図１２の位置に限定されるものではなく、例えば横方向に２箇所としてもよい。 
【００６６】
ここで、カートリッジ１２１の装着について説明する。まず、カートリッジ１２１から１枚のシート１０１の先端が引っ張り出され、その先端が挿通口７１に挿入されつつ、カートリッジ１２１の粘着テープ１３２が案内マーク７２へ貼られることで、カートリッジ１２１が背面部２ａの裏面に固定される。そして、挿通口７１に挿入されたシート１０１の先端がトレイ６１内側にさらに引っ張られ、１枚のシート１０１が底面部３上に配置される。 
【００６７】
このとき、次のシート１０１の先端が取出し口１３１および挿通口７１を通りトレイ６１上へ出てくる。そして、現在使用中のシート１０１を取り除いた後には、次のシート１０１の先端部分が挿通口７１を通じて引っ張られて取り出され、トレイ６１に配置される。 
【００６８】
このようにして、カートリッジ１２１内の複数のシート１０１が連続的に使用される。 
【００６９】
なお、実施の形態５では、背面部２ａにカートリッジ１２１が固定されているが、側面部２ｂ，２ｃにカートリッジ１２１を固定するようにしてもよい。その場合には、挿通口７１および案内マーク７２は側面部２ｂ，２ｃに設けられる。また、挿通口７１をトレイ側面部４に形成するようにしてもよい。また、案内マーク７２および粘着テープ１３２の代わりに、面ファスナテープ、磁石などの別種の固定手段を双方に設けるようにしてもよい。 
【００７０】
以上のように、実施の形態５によれば、固定手段である粘着テープ１３２によりペットトイレタリシート１０１のカートリッジ１２１がペットトレイ６１に固定され、挿通口７１を介してシート１０１がトレイ６１にセットされる。これにより、シート１０１交換時にその場で順番に１枚ずつシート１０１を取り出すことができ、シート１０１交換の手間が少なくて済む。 
【００７１】
実施の形態６． 
本発明の実施の形態６に係る折り畳み式多機能ペットトレイは、背面部２ａの先端部分と同様に、側面部２ｂ，２ｃの先端部分がトレイ内側に折れ曲がるようにしたものである。 
【００７２】
図１３は、実施の形態６に係る折り畳み式多機能ペットトレイ８１を示す図である。図１３（Ａ）は、ペットトレイ８１の斜視図であり、図１３（Ｂ）は、ペットトレイ８１の正面図であり、図１３（Ｃ）は、ペットトレイ８１の展開途中の斜視図である。 
【００７３】
実施の形態６では、図１３に示すように、側面部２ｂ，２ｃの先端部分９１が、折り目９２を中心にしてトレイ８１の内側へ向かって折り曲げられている。なお、折り畳み部分２ｄ，２ｅと先端部分９１との間には切れ込み９３が形成されている。このため、折り畳み分２ｄ，２ｅおよび先端部分９１は、折り畳み時に互いに干渉しない。
【００７４】
さらに、側面部２ｂ，２ｃの折返し部分９１および粘着面９６が折り目９７を中心にして折り曲げられてリブ状となる。さらに、粘着面９６は、直立するように折り曲げられ、粘着面９６上の粘着テープ、接着剤等により側面部２ｂ，２ｃに固定される。また、側面部２ｂ，２ｃの前面側開口部にはカバー９８が設けられる。これにより、先端部分９１の突出先端、つまり折り目９７がペットトイレタリシート１０１の吸水領域１０１ａの上方に固定される。つまり、折返して再び曲げることによって、下面になる部分９５および粘着面９６，９９（図14）が側面部２ｂ，２ｃのための固定機構として機能する。また、粘着面９６は、折り目４ａより上方、つまり側面部２ｂ，２ｃに固定されるため、図１３（Ｂ）に示すように、側面部２ｂ，２ｃを折り畳んだ際にも先端部分９１、カバー９８などが他の部位に干渉せずに済む。 
【００７５】
なお、ペットトレイ８１のその他の構成については、他の実施の形態のいずれかと同様であるので、その説明を省略する。また、実施の形態１と同様に、ペットトイレタリシート１０１が底面部３上に配置される。 
【００７６】
実施の形態６に係る折り畳み式多機能ペットトレイ８１では、実施の形態３と同様に１枚の部材から側面部２ｂ，２ｃ、底面部３およびトレイ側面部４を構成することが可能である。図１４は、実施の形態６に係る折り畳み式多機能ペットトレイの展開図である。図１４に示すように、側面部２ｂ，２ｃには折り目９２から延びる先端部分９１が設けられている。さらに、側面部２ｂ，２ｃに連続してカバー９８が形成されており、カバー９８に連続して粘着面９９が形成されている。そして、折り目９７を中心にして先端部分９１が略９０度に折り曲げられて折返し部分９５および粘着面９６がリブ状になる。また、折り目９２を中心にして側面部２ｂ，２ｃが折り曲げられる際に、粘着面９９が粘着テープ、接着剤などにより側面部２ｂ，２ｃに固定され、先端部分９１がトレイ８１の内側へ所定の角度を形成する。これにより、トレイ８１の形状は図１３（Ａ）の状態となる。なお、ペットトレイ８１を作る際のその他の手順は実施の形態３と同様であるのでその説明を省略する。 
【００７７】
以上のように、実施の形態６によれば、側面部２ｂ，２ｃは、底面部３に略平行な折り目９２を中心にして、先端部分９１をトレイ８１内側方向へ折り曲げ可能である。これにより、側面部２ｂ，２ｃへ向かって排泄が行われても、排泄物をペットトイレタリシート１０１の中央寄りに、つまり吸水領域１０１ａに落下させることができ、ペットトイレタリシート１０１をより有効に使用することができる。 
【００７８】
なお、上述の各実施の形態は、本発明の好適な例であるが、本発明は、これらに限定されるものではなく、本発明の要旨を逸脱しない範囲において、種々の変形、変更が可能である。 
【００７９】
例えば、上記各実施の形態において、各折り目としては、溝、ミシン目などが適宜形成される。例えば各折り目はプレス加工などで形成すればよい。 
【００８０】
また、上記各実施の形態において、背面部２ａの先端部分のうち、折り曲げ時に正面に面する箇所に、ペットの尿をペットトイレタリシート１０１の外縁側から中央側へ誘導する１または複数の溝またはリブを形成するようにしてもよい。その場合、溝またはリブは上方から下方へ向かって斜めに形成される。そのような溝またはリブは、背面部２ａをプレス加工により形成してもよいし、立体成型した樹脂部材で構成してもよい。これにより、背面部２ａの先端分の表面を流れる尿を、その溝またはリブに沿わせてシート１０１の吸水領域１０１ａへ落下させることができる。同様に、上述の尿誘導のための溝またはリブを側面部２ｂ，２ｃの先端部分９１に形成してもよい。 
【００８１】
上記各実施の形態において、部分底面部３ｂと部分底面部３ｃとの境界、つまり切れ込み３ａは直線状になっているが、これに限られるものではなく、切れ込み３ａに凹凸を設けたり、それらの代わりに、切れ込み３ａの形状を波形、ノコギリ形などとしてもよい。その場合でも、切れ込み３ａは、折り目２ｆの延長方向に形成される。これらの場合、部分底面部３ｂと部分底面部３ｃが使用時に隙間なく接する形状とされることが望ましい。 
【００８２】
上記各実施の形態において、部分底面部３ｂと部分底面部３ｃとは粘着テープ５により互いに固定されているが、その代わりに、クリップなどの取り外し可能な圧着部品で両者を互いに固定するようにしてもよい。あるいは、部分底面部３ｂと部分底面部３ｃとの境界部分にファスナを設け、両者を固定可能としてもよい。あるいは、永久磁石を切れ込み３ａの両側にそれぞれ固定して、磁力により両者を固定可能としてもよい。 
【産業上の利用可能性】
【００８３】
本発明は、例えば、犬などのペット用トイレに適用可能である。 
【図面の簡単な説明】
【００８４】
【図１】実施の形態１に係る折り畳み式多機能ペットトレイの構成を示す斜視図である。
【図２】実施の形態１における、ペットトイレタリシートの配置について説明する図である。
【図３】実施の形態１における、ペットトイレタリシートの廃棄について説明する図である。
【図４】実施の形態１において、折り畳み式多機能ペットトレイを、折り畳んだ状態から展開した状態へと変化させる過程（前半）について説明する図である。
【図５】実施の形態１において、折り畳み式多機能ペットトレイを、折り畳んだ状態から展開した状態へと変化させる過程（後半）について説明する図である。
【図６】実施の形態１に係る折り畳み式多機能ペットトレイを折り畳んだ状態でペットトイレタリシートのパッケージに添付させた場合を示す斜視図である。
【図７】実施の形態２に係る折り畳み式多機能ペットトレイを示す図である。
【図８】実施の形態３に係る折り畳み式多機能ペットトレイの展開図である。
【図９】実施の形態４に係る折り畳み式多機能ペットトレイを示す斜視図である。
【図１０】実施の形態４において使用されるペットトイレタリシートの一例を示す図である。
【図１１】従来のペットトイレタリシートの使用例を示す図である。
【図１２】実施の形態５に係る折り畳み式多機能ペットトレイに使用されるペットトイレタリシートのカートリッジの一例を示す図である。
【図１３】実施の形態６に係る折り畳み式多機能ペットトレイを示す図である。
【図１４】実施の形態６に係る折り畳み式多機能ペットトレイの展開図である。
【符号の説明】
【００８５】
１，３１，６１，８１ 折り畳み式多機能ペットトレイ 
２ 壁面部 
２ａ 背面部 
２ｂ，２ｃ 側面部 
２ｄ，２ｅ 折り畳み部分
２ｆ，２ｈ，９２ 折り目 
３ 底面部 
３ａ 切れ込み 
３ｂ，３ｃ 部分底面部 
４１ 突起（固定機構の一部） 
４２ スリット（固定機構の一部） 
９５ 折返して再び曲げることによって、下面になる部分（固定機構の一部） 
９６ 粘着面（固定機構の一部） 
１０１ ペットトイレタリシート
【図１】
2008228682.tif 000003
【図２】
2008228682.tif 000004
【図３】
2008228682.tif 000005
【図４】
2008228682.tif 000006
【図５】
2008228682.tif 000007
【図６】
2008228682.tif 000008
【図７】
2008228682.tif 000009
【図８】
2008228682.tif 000010
【図９】
2008228682.tif 000011
【図１０】
2008228682.tif 000012
【図１１】
2008228682.tif 000013
【図１２】
2008228682.tif 000014
【図１３】
2008228682.tif 000015
【図１４】
2008228682.tif 000016